【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
数値列を保持し，その数値列を出力する数値列供給装置と，デジタル表示画像データと前記数値列供給装置からの前記数値列データを演算して前記デジタル表示画像を画像変換する画像変換装置と，前記画像変換装置で生成された前記変換された画像データを記憶し外部へ出力するための記憶装置とを有し，前記数値列供給装置はn×m（n,mは1以上の整数）の数値配列である第1から第Nの数値列（Nは2以上の整数）を持ち，前記画像変換装置はn×mの数値配列である第M番目（M∈{1,...,N}）の入力画像を受け取り，前記数値列供給装置から第M番目の数値列を受け取り，前記第M番目の入力画像と前記第M番目の数値列を演算して生成した第M番目の変換結果を前記画像記憶装置に記録し，前記画像記憶装置から順次出力することを特徴とする表示画像変換装置。
【請求項２】
乱数生成装置を有し，前記数値列供給装置は前記第1から第N-1の数値列を前記乱数生成装置を用いて，前記デジタル入力画像データの最大階調uに対して，0以上u/2未満の値を供給することを特徴とする請求項１に記載の表示画像変換装置。
【請求項３】
前記数値列供給装置が，前記第Nの数値列を，前記第1から第N-1の数値列を演算して生成することを特徴とする請求項１に記載の表示画像変換装置。
【請求項４】
前記画像変換装置は，前記入力画像の座標(i,j)に対応する値をai,j（i∈{1,...,n}, j∈{1,...,m}），前記数値列の座標(i,j)に対応する数値をbi,j，変換結果の座標(i,j)に対応する値をa’ｉ，ｊと表記するとａ’i,j = ai,j + bi,jまたはa’i,j = ai,j - bi,jと演算することを特徴とする請求項３に記載の表示画像変換装置。
【請求項５】
乱数生成装置を有し，前記数値列供給装置は前記第1から第N-1の数値列を前記乱数生成装置を用いて生成し，第ｋの数値列の座標(i,j)に対応する数値をRk,i,j（k∈{1,...,N}, i∈{1,...,n}, j∈{1,...,m}）と表記すると，第Nの数値列をRN,i,j = - (R1,i,j + ... + RN-1,i,j)と演算生成したものとして供給することを特徴とする請求項４に記載の表示画像変換装置。
【請求項６】
乱数生成装置を有し，前記画像変換装置は，前記入力画像の座標(i,j)に対応する値をai,j（i∈{1,...,n}, j∈{1,...,m}），前記数値列の座標(i,j)に対応する数値をbi,j，変換結果の座標(i,j)に対応する値をa’i,jと表記するとa’i,j = ai,j × bi,jと演算し，
前記数値列供給装置は前記第1から第N-1の数値列を前記乱数生成装置を用いて生成し，第Nの数値列を，RN,j = N  (R1,j + ... + RN-1,j)と演算生成したものとして供給することを特徴とする請求項３に記載の表示画像変換装置。
【請求項７】
前記画像記憶装置から前記変換結果である数値列群の出力を毎秒30回以上の速さで行うことを特徴とする請求項５に記載の表示画像変換装置。
【請求項８】
表色系変換装置を有し，前記表色系変換装置は前記入力画像を第1の表色系から第2の表色系に変換して表色系変換画像を生成し，前記画像変換装置は前記表色系変換画像を受け取り，前記第M番目の入力画像と前記第M番目の数値列を演算して生成した前記第M番目の変換結果の画像を得て，前記表色系変換装置は前記変換画像を前記第2の表色系から第1の表色系に変換した結果を前記画像記憶装置に記録することを特徴とする請求項７に記載の表示画像変換装置。
【請求項９】
前記第1の表色系はRGB表色系であり，前記第2の表色系はCMY表色系であることを特徴とする請求項８に記載の表示画像変換装置。
【請求項１０】
請求項９に記載の表示画像変換装置を搭載した自動現金預け払い機または窓口端末またはディスプレイ装置。
【請求項１１】
表示装置に対して出力される表示画像を入力する表示画像入力端子と，表示装置に対して出力される表示画像の表示のためのクロックを入力するクロック入力端子と，数値列を保持し，その数値列を出力する数値列供給装置と，前記表示画像入力端子から受け取ったデジタル表示画像データと前記数値列供給装置からの前記数値列データとを演算して前記デジタル表示画像を画像変換する画像変換装置と，前記画像変換装置で生成された前記変換された画像データを記憶し外部へ出力するための画像記憶装置と，前記クロック入力端子から受け取った画像表示クロックの周波数を変換して出力するクロック変換装置と，前記画像記憶装置から出力された画像データを外部に出力するための表示画像出力端子と，前記変換されたクロックを出力するためのクロック出力端子とを有し，前記数値列供給装置はn×mの数値配列である第1から第Nの数値列（Nは2以上の整数）を持ち，前記画像変換装置は前記表示画像入力端子からn×mの数値配列（n,mは1以上の整数）である第M番目（M∈{1,...,N}）の入力画像を受け取り，前記数値列供給装置から第M番目の数値列を受け取り，前記第M番目の入力画像と前記第M番目の数値列を演算して生成した第M番目の変換結果を前記画像記憶装置に記録し，前記クロック変換装置は前記クロック入力端子より受け取った入力クロックから前記入力クロックのM倍（Mは1以上の有理数）の周波数となる変換クロックを生成し，前記画像記憶装置から前記変換画像を，前記クロック出力端子から前記変換クロックを順次出力することを特徴とする表示情報変換装置。
【請求項１２】
前記数値列供給装置は，前記第1から第N-1の数値列として，前記入力画像の画素の階調数をuとして，−uより大きくu未満の整数列を任意に生成し，第ｋの数値列の座標(i,j)に対応する数値をRk,i,j（k∈{1,...,N}, i∈{1,...,n}, j∈{1,...,m}）と表記すると，第Nの数値列をRN,i,j = −(R1,i,j + ... + RN-1,i,j)と演算生成し，前記画像変換装置は，前記入力画像の座標(i,j)に対応する値をai,j（i∈{1,...,n}, j∈{1,...,m}），前記数値列の座標(i,j)に対応する数値をbi,j，変換結果の座標(i,j)に対応する値をa’i,jと表記するとa’i,j = ai,j + bi,jと演算することを特徴とする請求項１１に記載の表示情報変換装置。
【請求項１３】
前記画像生成装置は，前記入力画像の画素値と前記数値列とを加算した結果が画素の最大階調値uよりも大きい値の場合は結果をuとし，加算結果が0よりも小さい場合は結果を0とすることを特徴とする請求項１２に記載の表示情報変換装置。
【請求項１４】
第M番目の変換画像の座標（i,j）の値a’i,jが前記最大階調値uよりも大きい場合，ｐ=a’i,j - u を計算して得たpを第M+1番目の変換画像に加え，前記a’i,jが0より小さい場合，p = - a’i,jを計算して得たpを第M+1番目の変換画像から減じることを特徴とする請求項１３に記載の表示情報変換装置。
【請求項１５】
前記クロック変換装置は，入力クロックの周波数をF [Hz]として，Aを30以上1000以下の任意の整数として，前記変換クロックの倍率Mを，M = A/F と計算することを特徴とする請求項１４に記載の表示情報変換装置。
【請求項１６】
前記数値列供給装置は乱数生成装置を備え，第1の数値列から第N-1の数値列を乱数生成装置を用いて生成することを特徴とする請求項１５に記載の表示情報変換装置。
【請求項１７】
前記画像生成装置は，第1の数値列と第1の入力画像を用いて第1の変換画像を生成し，
第2から第Nの数値列と第1の入力画像を用いてそれぞれ第2から第Nの変換画像を生成することを特徴とする請求項１５に記載の表示情報変換装置。
【請求項１８】
表色系変換装置を有し，前記表色系変換装置は第1の表色系で与えられた入力画像を第2の表色系に変換し，前記画像変換装置は前記第２の表色系に変換された画像を用いて前記変換画像生成し，前記表色系変換装置は前記第2の表色系から前記第1の表色系に前記変換画像を変換することを特徴とする請求項６に記載の表示情報変換装置。
【請求項１９】
前記数値列の個数Nは２であることを特徴とする請求項１８に記載の表示情報変換装置。
【請求項２０】
前記表色系変換装置は，動作・非動作設定信号線を有し，前記画像変換装置は入力画像の1画素を変換するごとに前記動作・非動作設定信号を発生し，前記表色系変換装置の動作・非動作を制御することを特徴とする請求項１９に記載の表示情報変換装置。
【手続補正２】
【補正対象書類名】明細書
【補正対象項目名】００２３
【補正方法】変更
【補正の内容】
【００２３】
一般的な表示装置では，表示画像の画素の階調を各色8ビットで表現したデータを送信する。すなわち，前記数値列供給装置から供給される数値列の値によっては，8ビットで表現できない値が変換画像に含まれる。このような場合，前記入力画像の画素値と前記数値列とを加算した結果が画素の最大階調値ｋよりも大きい値の場合は結果をｋとし，加算結果が0よりも小さい場合は結果を0とする。最大階調値ｋを超える画素数や最低階調値0を下回る画素の数が少なければ，視覚上影響の少ない変換画像といえる。一方で，第M番目の変換画像の座標（i,j）の値a’i,jが前記最大階調値ｋよりも大きい場合，ｐ=a’i,j-  k を計算して得たpを第M+1番目の変換画像に加え，前記a’i,jが0より小さい場合，p = -  a’i,jを計算して得たpを第M+1番目の変換画像から減じるように構成すれば，オーバーフローやアンダーフローの影響を小さく補正することができるため，より入力画像に近い画像が視覚される。
【手続補正３】
【補正対象書類名】明細書
【補正対象項目名】００３６
【補正方法】変更
【補正の内容】
【００３６】
なお、本発明の実施例に関連する技術的事項は次の通りである。
１．数値列を保持し，その数値列を出力する数値列供給装置と，デジタル表示画像データと前記数値列供給装置からの前記数値列データを演算して前記デジタル表示画像を画像変換する画像変換装置と，前記画像変換装置で生成された前記変換された画像データを記憶し外部へ出力するための記憶装置とを有し，前記数値列供給装置はn×m（n,mは1以上の整数）の数値配列である第1から第Nの数値列（Nは2以上の整数）を持ち，前記画像変換装置はn×mの数値配列である第M番目（M∈{1,...,N}）の入力画像を受け取り，前記数値列供給装置から第M番目の数値列を受け取り，前記第M番目の入力画像と前記第M番目の数値列を演算して生成した第M番目の変換結果を前記画像記憶装置に記録し，前記画像記憶装置から順次出力することを特徴とする表示画像変換装置。
２．乱数生成装置を有し，前記数値列供給装置は前記第1から第N-1の数値列を前記乱数生成装置を用いて，前記デジタル入力画像データの最大階調ｋに対して，0以上k/2未満の値を供給することを特徴とする上記１に記載の表示画像変換装置。
３．前記数値列供給装置が，前記第Nの数値列を，前記第1から第N-1の数値列を演算して生成することを特徴とする上記１に記載の表示画像変換装置。
４．前記画像変換装置は，前記入力画像の座標(i,j)に対応する値をai,j（i∈{1,...,n}, j∈{1,...,m}），前記数値列の座標(i,j)に対応する数値をbi,j，変換結果の座標(i,j)に対応する値をa’i,jと表記するとa’i,j = ai,j + bi,jまたはa’i,j = ai,j - bi,jと演算することを特徴とする上記３に記載の表示画像変換装置。
５．乱数生成装置を有し，前記数値列供給装置は前記第1から第N-1の数値列を前記乱数生成装置を用いて生成し，第ｋの数値列の座標(i,j)に対応する数値をRk,i,j（k∈{1,...,N}, i∈{1,...,n}, j∈{1,...,m}）と表記すると，第Nの数値列をRN,i,j = - (R1,i,j + ... + RN-1,i,j)と演算生成したものとして供給することを特徴とする上記４に記載の表示画像変換装置。
６．乱数生成装置を有し，前記画像変換装置は，前記入力画像の座標(i,j)に対応する値をai,j（i∈{1,...,n}, j∈{1,...,m}），前記数値列の座標(i,j)に対応する数値をbi,j，変換結果の座標(i,j)に対応する値をa’i,jと表記するとa’i,j = ai,j × bi,jと演算し，前記数値列供給装置は前記第1から第N-1の数値列を前記乱数生成装置を用いて生成し，第Nの数値列を，RN,j = N  (R1,j + ... + RN-1,j)と演算生成したものとして供給することを特徴とする上記３に記載の表示画像変換装置。
７．前記画像記憶装置から前記変換結果である数値列群の出力を毎秒30回以上の速さで行うことを特徴とする上記５に記載の表示画像変換装置。
８．表色系変換装置を有し，前記表色系変換装置は前記入力画像を第1の表色系から第2の表色系に変換して表色系変換画像を生成し，前記画像変換装置は前記表色系変換画像を受け取り，前記第M番目の入力画像と前記第M番目の数値列を演算して生成した前記第M番目の変換結果の画像を得て，前記表色系変換装置は前記変換画像を前記第2の表色系から第1の表色系に変換した結果を前記画像記憶装置に記録することを特徴とする上記７に記載の表示画像変換装置。
９．前記第1の表色系はRGB表色系であり，前記第2の表色系はCMY表色系であることを特徴とする上記８に記載の表示画像変換装置。
１０．上記９に記載の表示画像変換装置を搭載した自動現金預け払い機または窓口端末またはディスプレイ装置。
１１．表示装置に対して出力される表示画像を入力する表示画像入力端子と，表示装置に対して出力される表示画像の表示のためのクロックを入力するクロック入力端子と，数値列を保持し，その数値列を出力する数値列供給装置と，前記表示画像入力端子から受け取ったデジタル表示画像データと前記数値列供給装置からの前記数値列データとを演算して前記デジタル表示画像を画像変換する画像変換装置と，前記画像変換装置で生成された前記変換された画像データを記憶し外部へ出力するための画像記憶装置と，前記クロック入力端子から受け取った画像表示クロックの周波数を変換して出力するクロック変換装置と，前記画像記憶装置から出力された画像データを外部に出力するための表示画像出力端子と，前記変換されたクロックを出力するためのクロック出力端子とを有し，前記数値列供給装置はn×mの数値配列である第1から第Nの数値列（Nは2以上の整数）を持ち，前記画像変換装置は前記表示画像入力端子からn×mの数値配列（n,mは1以上の整数）である第M番目（M∈{1,...,N}）の入力画像を受け取り，前記数値列供給装置から第M番目の数値列を受け取り，前記第M番目の入力画像と前記第M番目の数値列を演算して生成した第M番目の変換結果を前記画像記憶装置に記録し，前記クロック変換装置は前記クロック入力端子より受け取った入力クロックから前記入力クロックのM倍（Mは1以上の有理数）の周波数となる変換クロックを生成し，前記画像記憶装置から前記変換画像を，前記クロック出力端子から前記変換クロックを順次出力することを特徴とする表示情報変換装置。
１２．前記数値列供給装置は，前記第1から第N-1の数値列として，前記入力画像の画素の階調数をkとして，−kより大きくk未満の整数列を任意に生成し，第ｋの数値列の座標(i,j)に対応する数値をRk,i,j（k∈{1,...,N}, i∈{1,...,n}, j∈{1,...,m}）と表記すると，第Nの数値列をRN,i,j = −(R1,i,j + ... + RN-1,i,j)と演算生成し，前記画像変換装置は，前記入力画像の座標(i,j)に対応する値をai,j（i∈{1,...,n}, j∈{1,...,m}），前記数値列の座標(i,j)に対応する数値をbi,j，変換結果の座標(i,j)に対応する値をa’i,jと表記するとa’i,j = ai,j + bi,jと演算することを特徴とする上記１１に記載の表示
情報変換装置。
１３．前記画像生成装置は，前記入力画像の画素値と前記数値列とを加算した結果が画素の最大階調値ｋよりも大きい値の場合は結果をｋとし，加算結果が0よりも小さい場合は結果を0とすることを特徴とする上記１２に記載の表示情報変換装置。
１４．第M番目の変換画像の座標（i,j）の値a’i,jが前記最大階調値ｋよりも大きい場合，ｐ=a’i,j - k を計算して得たpを第M+1番目の変換画像に加え，前記a’i,jが0より小さい場合，p =  -a’i,jを計算して得たpを第M+1番目の変換画像から減じることを特徴とする上記１３に記載の表示情報変換装置。
１５．前記クロック変換装置は，入力クロックの周波数をF [Hz]として，Aを30以上1000以下の任意の整数として，前記変換クロックの倍率Mを，M = A/F と計算することを特徴とする上記１４に記載の表示情報変換装置。
１６．前記数値列供給装置は乱数生成装置を備え，第1の数値列から第N-1の数値列を乱数生成装置を用いて生成することを特徴とする上記１５に記載の表示情報変換装置。
１７．前記画像生成装置は，第1の数値列と第1の入力画像を用いて第1の変換画像を生成し，第2から第Nの数値列と第1の入力画像を用いてそれぞれ第2から第Nの変換画像を生成することを特徴とする上記１５に記載の表示情報変換装置。
１８．表色系変換装置を有し，前記表色系変換装置は第1の表色系で与えられた入力画像を第2の表色系に変換し，前記画像変換装置は前記第２の表色系に変換された画像を用いて前記変換画像生成し，前記表色系変換装置は前記第2の表色系から前記第1の表色系に前記変換画像を変換することを特徴とする上記６に記載の表示情報変換装置。
１９．前記数値列の個数Nは２であることを特徴とする上記１８に記載の表示情報変換装置。
２０．前記表色系変換装置は，動作・非動作設定信号線を有し，前記画像変換装置は入力画像の1画素を変換するごとに前記動作・非動作設定信号を発生し，前記表色系変換装置の動作・非動作を制御することを特徴とする上記１９に記載の表示情報変換装置。
２１．前記第1の表色系はRGB表色系であり，前記第2の表色系はCMY表色系であることを特徴とする上記２０に記載の表示情報変換装置。
２２．上記１７に記載の表示情報変換装置を搭載する，自動現金預け払い機または窓口端末またはディスプレイ装置。
２３．上記２０に記載の表示情報変換装置を搭載する，自動現金預け払い機または窓口端末またはディスプレイ装置。
２４．n×mの数値配列であるデジタル表示画像を受け取り記憶装置に記録するステップと，演算装置を駆動してn×mの数値配列である任意の数値列をN組（Nは２以上の整数）生成するステップと，演算装置を駆動して前記デジタル表示画像の座標(i,j)の値（i∈{1,...,n}, j∈{1,...,m}）と前記数値列の座標(i,j)の数値を加算して変換画像を生成するステップと，前記変換画像を記憶装置に記録するステップと，前記記憶装置に記憶した前記変換画像を出力する画像出力装置を駆動するステップからなり，前記入力画像を記憶装置に記録するステップをN回繰り返すことで第１番目から第N番目の入力画像を記憶装置に順次記録し，前記変換画像を生成するステップをN回繰り返すことで第１番目から第N番目の変換画像を順次生成して前記記憶装置に記録し，前記画像出力装置を駆動するステップは前記記憶装置に記録された画像を順次出力することを特徴とする情報表示方法。
２５．前記数値列を生成するステップは，前記第Nの数値列を，前記第1から第N-1の数値列を演算して生成することを特徴とする上記２４に記載の表示画像変換装置。
２６．乱数生成器を有し，前記デジタル表示画像の階調数をｋと表記すると，前記数値列生成ステップでは前記第1から第N-1の数値列として，−ｋより大きくｋ未満の整数を前記乱数生成器を用いて生成し，第Nの数値列を，前記第1から第N-1の数値列の加算結果を0から減じることで生成することを特徴とする上記２５に記載の情報表示方法。
２７．前記変換画像を生成するステップでは，前記デジタル入力画像の画素値と前記数値列とを加算した結果が画素の最大階調値ｋよりも大きい値の場合は結果をｋとし，加算結果が0よりも小さい場合は結果を0とすることを特徴とする上記２６に記載の情報表示方法。
２８．前記変換画像を生成するステップでは，第M番目の変換画像の座標（i,j）の値a’i,jが前記最大階調値ｋよりも大きい場合，ｐ=a’i,j - k を計算して得たpを第M+1番目の変換画像に加え，前記a’i,jが0より小さい場合，p = - a’i,jを計算して得たpを第M+1番目の変換画像から減じることを特徴とする上記２７に記載の情報表示方法。
２９．前記画像出力装置を駆動するステップは，前記記憶装置に記録された画像を３０Hz以上のフレームレートで順次出力することを特徴とする上記２８に記載の情報表示方法。
３０．上記２９に記載の情報表示方法を用いた自動現金預け払い機または窓口端末または
ディスプレイ装置。
３１．n×mの数値配列であるデジタル表示画像データを受け取って記憶装置に記録するステップと，演算装置を駆動してn×mの数値配列である任意の数値列をN個（Nは1以上の整数）生成するステップと，ｓｎ×ｔｍの数値配列（ｓ,tは少なくとも一方が2以上の自然数）であるN+1個の変換画像を生成するステップと，前記生成した変換画像を記憶装置に記録するステップとからなり，前記変換画像を生成するステップは，s×t個の画素のうちs×t/2個の画素を0としs×t/2個の画素を1とした第1のテンプレートと第1のテンプレートの画素値を反転させた第2のテンプレートを用いて，第M番目（M∈{1,...,N}）の前記数値列の座標(i,j)の値が0であれば第M番目の変換画像の座標(si,tj)を左上とし座標(s(i+1)-1,t(j+1)-1)を右下とする矩形に第１のテンプレートをコピーし，前記第M番目の値列の座標(i,j)の値が1であれば第M番目の変換画像の座標(si,tj)を左上とし座標(s(i+1)-1,t(j+1)-1)を右下とする矩形に第2のテンプレートをコピーすることで生成し，前記デジタル表示画像データと第1番目から第N番目の数値列を排他的論理和演算することで生成した第N+1番目の数値列を用い前記変換画像生成ステップと同じ方法で変換画像を生成して前記変換画像を記憶装置に記録するステップであることを特徴とする情報表示方法。
３２．前記数値列の個数Nは1であり，前記変換画像を出力するステップは，前記2つの変換画像を交互に出力することを特徴とする上記３１に記載の情報表示方法。
３３．前記変換画像を出力するステップでは，出力画像のフレームレートが３０Hz以上となるように前記記憶装置に記録された前記変換画像を順次出力することを特徴とする上記３２に記載の情報表示方法。
３４．表示装置のピクセルサイズA [mm2]を受け取るステップを有し，前記s,tをそれぞれ1/(100*√A)以上かつ1/√A未満に設定することを特徴とする上記３３に記載の情報表示方法。
３５．上記３４に記載の情報表示方法を用いた自動現金預け払い機または窓口端末またはディスプレイ装置。
３６．数値列を保持し，その数値列を出力する数値列供給装置と，デジタル表示画像データと前記数値列供給装置からの前記数値列データを演算して前記デジタル表示画像を画像変換する画像変換装置と，前記画像変換装置で生成された前記変換された画像データを記憶し表示装置へ出力するための記憶装置と，前記画像データを表示するN個（Nは2以上の整数）の表示装置とを有し，前記数値列供給装置はn×mの数値配列である第1から第Nの数値列を持ち，前記画像変換装置はn×mの数値配列（n,mは1以上の整数）である第M番目（M∈{1,...,N}）の入力画像を受け取り，前記数値列供給装置から第M番目の数値列を受け取り，前記第M番目の入力画像と前記第M番目の数値列を演算して生成した第M番目の変換結果を前記画像記憶装置に記録し，前記第M番目の変換結果を前記画像記憶装置から第M番目の前記表示装置に出力することを特徴とする画像変換表示装置。
３７．前記表示装置が液晶層を有することを特徴とする上記３６に記載の画像変換表示装置。
３８．上記３７に記載の画像変換表示装置を備える自動現金預け払い機または窓口端末またはディスプレイ装置。